(57)【要約】【課題】良好な受信性能を確保できる腕装着型電子機器を提供すること。【解決手段】電子機器１は、外部から送信される無線電波を受信するＧＰＳアンテナ１１と、少なくとも一部が非導電性部材にて形成された外装ケース１０１と、外装ケース１０１内に収納され、非導電性部材にて板状に形成された文字板２と、外装ケース１０１に取り付けられ、導電性部材にて形成される裏蓋１０２と、外装ケース１０１内に文字板２および裏蓋１０２間に位置して収納され、ＧＰＳアンテナ１１で受信した無線電波に基づく受信信号を処理する受信部とを備える。ＧＰＳアンテナ１１は、文字板２の周囲に沿って配置されて線状に形成されたアンテナ電極１１２を有する。裏蓋１０２は、受信部のグランド電位に接続されて無線電波を反射する反射板として機能する。【選択図】図２
2011097431.tif 000002
【特許請求の範囲】
【請求項１】
外部から送信される無線電波を受信するアンテナと、
少なくとも一部が非導電性部材にて形成されたケースと、
このケース内に収納され、非導電性部材にて板状に形成された情報表示部と、
前記ケースに取り付けられ、導電性部材にて形成される裏蓋と、
前記ケース内の前記情報表示部および前記裏蓋間に位置して収納され、前記アンテナで受信した無線電波に基づく受信信号を処理する受信部と、を備え、
前記アンテナは、前記情報表示部の周囲に沿って配置されて線状に形成されたアンテナ電極を有し、
前記裏蓋は、前記受信部のグランド電位に接続されて前記無線電波を反射する反射板として機能する
ことを特徴とする腕装着型電子機器。
【請求項２】
請求項１に記載の腕装着型電子機器において、
前記裏蓋は、前記アンテナ電極の外形寸法より大きい外形寸法に形成されている
ことを特徴とする腕装着型電子機器。
【請求項３】
請求項１または請求項２に記載の腕装着型電子機器において、
前記情報表示部の周囲に沿って配置され、非導電性部材にて環状に形成されたダイヤルリングと、
このダイヤルリングの外周側に配置され、非導電性部材にて環状に形成されたベゼルとを備え、
前記アンテナは、前記ダイヤルリングと前記ベゼルとの間に覆われて配置されている
ことを特徴とする腕装着型電子機器。
【請求項４】
請求項１から請求項３までのいずれか一項に記載の腕装着型電子機器において、
前記アンテナは、前記アンテナ電極が設けられる環状の誘電体基材を有し、
前記アンテナ電極は、前記誘電体基材により波長短縮された前記無線電波の波長に対して略１波長分の周囲長に形成されている
ことを特徴とする腕装着型電子機器。
【請求項５】
請求項１から請求項４までのいずれか一項に記載の腕装着型電子機器において、
前記アンテナは、前記アンテナ電極が設けられる環状の誘電体基材を有し、
前記アンテナ電極は、前記誘電性基材における前記裏蓋に対向する下面とは反対側の上面に配置される環状のアンテナ本体部と、このアンテナ本体部の一部に設けられる少なくとも１つ以上の分岐点から分岐され、前記誘電性基材に設けられる給電部と、を有し、
前記ケース内に収納され、前記給電部に接触するとともに前記受信信号を前記受信部に伝達する接続部材を備えている
ことを特徴とする腕装着型電子機器。
【請求項６】
請求項１から請求項５までのいずれか一項に記載の腕装着型電子機器において、
前記情報表示部は、文字板または表示パネルである
ことを特徴とする腕装着型電子機器。
【発明の詳細な説明】
【技術分野】
【０００１】
本発明は、外部から送信される時刻情報等を含む無線電波を受信可能なアンテナを内蔵する腕装着型電子機器に関する。
【背景技術】
【０００２】
近年、無線通信機能を備えた電子時計が開発されている。このような無線通信機能としては、例えばＧＰＳ（Global Positioning System）等、位置情報衛星からの電波を受けて現在時刻を取得する機能が利用される。
このような無線機能付きの電子時計として、例えば腕時計に無線機能を付与する場合、限られたスペースで良好な機能を確保できるアンテナが要求される（例えば、特許文献１，２参照）。
【０００３】
特許文献１では、表示部の周囲に誘電体基板を伴うＣ型ループアンテナを配置するとともに、腕時計の金属製本体ベースをグランド板として利用している。
特許文献２では、不平衡給電されるアンテナを腕時計のカバーガラスとムーブメントとの間に配置された文字板の外周に沿って配置するとともに、文字板をグランド板の一部として利用している。
【先行技術文献】
【特許文献】
【０００４】
【特許文献１】特開２０００−５９２４１号公報
【特許文献２】特開２００９−１６８６５６号公報
【発明の概要】
【発明が解決しようとする課題】
【０００５】
しかしながら、前述した特許文献１および特許文献２の構成は、十分なアンテナ性能を確保できないという問題がある。すなわち、特許文献１，２では、アンテナとグランド板（金属製本体ベースや文字板）との距離が近く、グランド板による無線電波の良好な反射が得られにくく、十分なアンテナ性能が得られないという問題がある。
【０００６】
本発明の主な目的は、良好な受信性能を確保できる腕装着型電子機器を提供することである。
【課題を解決するための手段】
【０００７】
本発明の腕装着型電子機器は、外部から送信される無線電波を受信するアンテナと、少なくとも一部が非導電性部材にて形成されたケースと、このケース内に収納され、非導電性部材にて板状に形成された情報表示部と、前記ケースに取り付けられ、導電性部材にて形成される裏蓋と、前記ケース内の前記情報表示部および前記裏蓋間に位置して収納され、前記アンテナで受信した無線電波に基づく受信信号を処理する受信部と、を備え、前記アンテナは、前記情報表示部の周囲に沿って配置されて線状に形成されたアンテナ電極を有し、前記裏蓋は、前記受信部のグランド電位に接続されて前記無線電波を反射する反射板として機能することを特徴とする。
【０００８】
ここで、前記アンテナ電極とは、周方向で連続する環状のアンテナ電極の他、周方向で不連続となる環状の一部が欠けた例えばＣ字形状のアンテナ電極をも含むものである。
また、腕装着型とは、手首に装着する場合のみならず、例えば上腕に装着するなど、腕のいずれの位置に装着するものも対象とすることができる。
本発明では、アンテナで受信した無線電波に基づく受信信号を処理する受信部を情報表示部および裏蓋間に配置させ、情報表示部の周囲に沿って線状のアンテナ電極を配置させるとともに、裏蓋を導電性部材にて形成して無線電波を反射する反射板として機能させている。このことにより、情報表示部と裏蓋とは、間に受信部が介在するためにある程度の距離で離間する。このため、情報表示部の周囲に沿って配置されたアンテナ電極と裏蓋（反射板）もある程度の距離で離間する状態となり、アンテナに近接する文字板等を反射板とした場合に比べて、アンテナでの受信性能を向上できる。さらに、裏蓋が反射板として機能するので、腕時計として利用してもアンテナ同調周波数の変化を防止でき、アンテナの特性を向上でき、良好な受信特性が得られる。特に、裏蓋は、比較的に外形寸法を大きく設計しやすいため、無線電波の反射効率の向上が容易で、アンテナの特性を容易に向上できる。
【０００９】
本発明の腕装着型電子機器において、前記裏蓋は、前記アンテナ電極の外形寸法より大きい外形寸法に形成されていることが好ましい。
【００１０】
この発明では、アンテナ電極の外形寸法より大きい裏蓋にて無線電波をより効率よく反射してアンテナ電極に入る受信強度を向上できる。
【００１１】
本発明の腕装着型電子機器において、前記情報表示部の周囲に沿って配置され、非導電性部材にて環状に形成されたダイヤルリングと、このダイヤルリングの外周側に配置され、非導電性部材にて環状に形成されたベゼルとを備え、前記アンテナは、前記ダイヤルリングと前記ベゼルとの間に覆われて配置されていることが好ましい。
【００１２】
このように、本発明では、非導電性部材にて環状に形成されたダイヤルリングとベゼルとの間にアンテナを配置しているため、無線電波が遮断されることなく、良好な受信性能が得られるとともに、アンテナがダイヤルリングおよびベゼルで覆われて外部に露出することがないため、外観が損なわれることも防止できる。
【００１３】
本発明の腕装着型電子機器において、前記アンテナは、前記アンテナ電極が設けられる環状の誘電体基材を有し、前記アンテナ電極は、前記誘電体基材により波長短縮された前記無線電波の波長に対して略１波長分の周囲長に形成されていることが好ましい。
【００１４】
ここで、環状の誘電体基材としては、周方向で連続する形状、例えば平面円形や平面矩形状のものに限らず、周方向の一部が欠けた周方向で不連続の例えば平面Ｃ字形状の誘電体基材をも含むものである。
本発明では、アンテナとして、誘電体基材に設けるアンテナ電極の周囲長を、誘電体基材により波長短縮された無線電波の波長に対して略１波長としているので、アンテナの受信性能を最適にできる。
なお、周囲長が波長短縮された波長に対して略１波長とは、例えば、０．９波長〜１．３波長の範囲、特に１．１波長が好適である。
【００１５】
本発明の腕装着型電子機器において、前記アンテナは、前記アンテナ電極が設けられる環状の誘電体基材を有し、前記アンテナ電極は、前記誘電性基材における前記裏蓋に対向する下面とは反対側の上面に配置される環状のアンテナ本体部と、このアンテナ本体部の一部に設けられる少なくとも１つ以上の分岐点から分岐され、前記誘電性基材に設けられる給電部と、を有し、前記ケース内に収納され、前記給電部に接触するとともに前記受信信号を前記受信部に伝達する接続部材を備えていることが好ましい。
【００１６】
ここで、環状の誘電体基材やアンテナ本体部としては、周方向で連続する形状、例えば平面円形や平面矩形状のものに限らず、周方向の一部が欠けた周方向で不連続の例えば平面Ｃ字形状の誘電体基材やアンテナ本体部をも含むものである。また、誘電体基材やアンテナ本体部は、両方とも周方向で連続する形状の場合と、両方とも周方向で不連続の形状の場合と、一方が周方向で連続する形状であり、他方が周方向で不連続の形状である場合のいずれでもよい。
この発明では、誘電体基材の上面側に配置されたアンテナ本体部で受信した電波の受信信号は、アンテナ本体部から分岐された給電部から接続部材を介して受信部に伝達される。このことから、例えば接続部材が他の導電性の部位と接触しないように接続部材を貫通させる貫通部を設けるなどの簡単な構成で、受信した電波に基づく受信信号が適切に受信部へ伝達される。
【００１７】
本発明の腕装着型電子機器において、前記情報表示部は、文字板または表示パネルであることが好ましい。
【００１８】
本発明では、非導電性部材で形成された情報表示部として、文字板または表示パネルを用いる。ここで、非導電性部材にて形成される文字板とは、文字板の周囲に沿ってアンテナ電極を配置した際に、所定の受信特性を確保できるものであればよく、例えば、プラスチックやセラミックスなどの非導電性部材で形成された文字板が利用できる。また、非導電性部材にて形成される表示パネルとは、表示パネルの周囲に沿ってアンテナ電極を配置した際に、所定の受信特性を確保できるものであればよく、液晶パネルや有機ＥＬ（Electro Luminescence）パネル、電気泳動型表示パネルなど、一部に導電性の部品を備えていても、アンテナでの受信特性上は非導電性部材と見なせる表示パネルが利用できる。
このような非導電性部材で形成された文字板や表示パネルの周囲に沿ってアンテナ電極を配置すれば、受信特性の劣化がなく、良好な受信特性が得られる。
【図面の簡単な説明】
【００１９】
【図１】本発明に係る腕装着型電子機器である電子機器を示す概略図。
【図２】前記実施形態の電子機器の概略断面図。
【図３】前記実施形態の電子機器の平面図。
【図４】前記実施形態の電子機器に組み込まれるＧＰＳアンテナの分解斜視図。
【図５】前記実施形態の電子機器の主なハードウエア構成等を示す概略図。
【図６】反射板の有無によるＧＰＳアンテナの放射パターンのシミュレーション結果を示す特性図。
【図７】第２実施形態の電子機器の概略断面図。
【図８】第３実施形態の電子機器を示す一部を切り欠いた分解斜視図。
【図９】他の実施形態の電子機器に組み込まれるＧＰＳアンテナを示す斜視図。
【図１０】さらに他の実施形態の電子機器に組み込まれるＧＰＳアンテナを示す斜視図。
【図１１】さらに他の実施形態の電子機器に組み込まれるＧＰＳアンテナを示す斜視図。
【発明を実施するための形態】
【００２０】
［第１実施形態］
以下、本発明に係る第１実施形態を図面に基づいて説明する。
【００２１】
図１に示すように、電子機器１は、腕に装着されるもので、情報表示部としての文字板２及び指針３を備えた時刻表示用の時刻表示部を備える腕装着型の電子時計である。
文字板２は、非導電性部材、例えば合成樹脂やより高級な質感が得られるセラミックスなどにて円板状に形成されている。そして、文字板２の一部には開口が形成され、情報表示部としてのＬＣＤ（Liquid Crystal Display）パネル等からなるディスプレイ４が組み込まれている。
指針３は、秒針、分針、時針等を備えて構成され、後述するステップモーター及び歯車列を含む駆動機構を介して駆動される。なお、指針３は面積が小さいことから、金属製であっても無線電波の受信に支障ないが、非導電性材料であれば無線電波が遮断される影響を回避できて好ましい。
ディスプレイ４はＬＣＤパネル等で構成され、緯度、経度や都市名等の位置情報を表示する他、メッセージ情報を表示する。
【００２２】
そして、電子機器１は、地球の上空を所定の軌道で周回している複数のＧＰＳ衛星５ａ，５ｂ，５ｃ，５ｄなどからの衛星信号を受信して衛星時刻情報を取得し、内部時刻情報を修正できるように構成されている。
なお、図１に示すＧＰＳ衛星５ａ，５ｂ，５ｃ，５ｄは、本発明における位置情報衛星の一例であり、地球の上空に複数存在している。現在は約３０個のＧＰＳ衛星５ａ，５ｂ，５ｃ，５ｄが周回している。
また、電子機器１には、外部操作用のリュウズ６、ボタン７，８が設けられている。
【００２３】
＜電子機器１の内部構成＞
次に、電子機器１の内部構成について説明する。
図２及び図３に示すように、電子機器１は、指針３を駆動するモジュール１１０と、モジュール１１０を収容する本体ケース１０とを備えている。
【００２４】
本体ケース１０は、円筒状の外装ケース１０１を備えている。この外装ケース１０１の一方の開口（図２下側）には、開口を塞ぐ円板状の裏蓋１０２が設けられている。
外装ケース１０１は、非導電性部材である各種合成樹脂で形成されている。この外装ケース１０１により、本発明のケースが構成されている。
【００２５】
また、裏蓋１０２には、ＢＳ（真鍮）、ＳＵＳ（ステンレス鋼）、チタン合金などの導電性部材の金属材料が利用される。そして、裏蓋１０２は、後述するモジュール１１０の接地端子１０５に接続している。接地端子１０５は、モジュール１１０の受信部１８のグランド電位に接続している。このため、裏蓋１０２は、接地端子１０５を介して受信部１８のグランド電位に電気的に接続しており、カバーガラス１３０側から入射する電波をＧＰＳアンテナ１１に向かって反射させる、いわゆるグランド板（反射板）として機能する。
裏蓋１０２は外装ケース１０１の一方の開口（図２下側）に対してねじ構造により接続される。これにより、本体ケース１０内には、外装ケース１０１の他方の開口（図２上側）に開口面１０３を有するキャビティー１０４が形成され、このキャビティー１０４にモジュール１１０が収容される。
【００２６】
さらに、外装ケース１０１の開口面１０３が形成される端面には、文字板２が配設されている。
そして、文字板２の外周縁の一部、具体的には、電子機器１の９時位置近傍には、カバーガラス１３０側の空間とモジュール１１０側の空間を連通する切欠部１２１が形成されている。
【００２７】
モジュール１１０は、前述した指針３による時刻表示を行うとともに、図１に示すＧＰＳ衛星５ａ，５ｂ，５ｃ，５ｄからの信号受信を行うためのものである。そして、モジュール１１０は、時刻表示及びＧＰＳ機能を処理する回路素子（ＩＣなど）が実装された回路基板２５（図４参照）、指針３を駆動するステップモーター及び歯車列を含む図示しない駆動機構、これらに電力を供給する二次電池９１（図５参照）などを備えている。
なお、回路基板２５に実装された回路素子としては、ＧＰＳ衛星５ａ，５ｂ，５ｃ，５ｄから受信した信号を処理する受信部１８（図４参照）や、駆動機構の制御を行う制御部２０（図４参照）などが含まれている。そして、回路素子のうち、受信部１８は、ノイズの影響を避けるために、ＧＰＳアンテナ１１、ＬＣＤパネルに対して回路基板２５の反対側（裏蓋１０２側）で、かつ回路基板２５の中央部に設けられる。
【００２８】
電子機器１は、図２及び図３に示すように、文字板２の外周に沿って配置されたリング状のＧＰＳアンテナ１１を備えている。
ＧＰＳアンテナ１１は、前述したＧＰＳ衛星５ａ，５ｂ，５ｃ，５ｄからの信号を受信するものであり、文字板２の表面側に配置され、文字板２の外周縁と、ＧＰＳアンテナ１１の外周縁とが略一致する状態に形成されている。そして、ＧＰＳアンテナ１１の最大寸法である外径寸法（外形寸法）は、裏蓋１０２の外径寸法（外形寸法）より小さい寸法に形成されている。すなわち、裏蓋１０２の外径の方が、ＧＰＳアンテナ１１より大きく形成されている。なお、このＧＰＳアンテナ１１の詳細については後述する。
【００２９】
電子機器１は、ＧＰＳアンテナ１１を収容するダイヤルリング１４０を備えている。
ダイヤルリング１４０は、非導電性部材である合成樹脂にて円環状に形成され、外周にＧＰＳアンテナ１１を収容する凹みを有する。ダイヤルリング１４０は、文字板２の表面側（電子機器１の厚さ方向におけるカバーガラス１３０側）で、文字板２の周囲に沿って配置され、内周が文字板２へと向かう傾斜面（円錐面）とされ、この傾斜面には６０分割で指示目盛が印刷されている。
【００３０】
ダイヤルリング１４０の外周にはベゼル１５０が配置され、ベゼル１５０の内側には、文字板２の表面側及び指針３を覆うカバーガラス１３０が配置されている。
ベゼル１５０は、外周が外装ケース１０１の外周に連続する円環状に形成され、互いの対向面に形成された凹凸による嵌め合わせ構造あるいは両面粘着テープや接着剤等の手段により本体ケース１０の外装ケース１０１に接続されている。ベゼル１５０は、カバーガラス１３０を保持するとともに、ダイヤルリング１４０を文字板２側へ押しつけて保持している。
そして、ダイヤルリング１４０の凹みに配置されたＧＰＳアンテナ１１は、ダイヤルリング１４０とベゼル１５０とで覆われる状態に配置されている。
以上により、カバーガラス１３０がモジュール１１０の表面側を覆うように配置され、カバーガラス１３０とモジュール１１０との間に文字板２が配置され、この文字板２とカバーガラス１３０との間に指針３及びＧＰＳアンテナ１１が配置されている。
【００３１】
電子機器１において、本体ケース１０の裏蓋１０２は、質感の優れた導電性部材である金属材料で形成されている。
外装ケース１０１、文字板２、ダイヤルリング１４０及びベゼル１５０は、非導電性材料で形成され、カバーガラス１３０も非導電性のガラス質材料で形成されている。これらの各要素は質感を考慮した表面仕上げが施されている。なお、ベゼル１５０を構成する非導電性材料としては、例えば合成樹脂を用いることも可能であるが、より硬度が高くて傷が付きにくく、より高級な質感が得られるセラミックスにより形成されることが好ましい。
このような材質とすることで、文字板２から表面側（図２上側）にあるダイヤルリング１４０，ベゼル１５０、カバーガラス１３０は全て非導電性材料となり、これらがＧＰＳアンテナ１１に対して電磁気的な遮蔽物として影響することはない。
【００３２】
＜ＧＰＳアンテナの詳細＞
ＧＰＳアンテナ１１は、図４に示すように、矩形断面形状を有するリング状の誘電体基材１１１を備え、その表面にアンテナ電極１１２が形成されている。このＧＰＳアンテナ１１が本発明のアンテナを構成し、アンテナ電極１１２が本発明のアンテナ部を構成している。
【００３３】
誘電体基材１１１は、電波の波長を短縮させる機能を有する。すなわち、ＧＰＳ衛星５ａ，５ｂ，５ｃ，５ｄから送信される衛星信号は、周波数が１．５７５ＧＨｚ、波長が１９ｃｍである円偏波である。このような衛星信号の電波をループアンテナで受信するためには、バランを必要としない不平衡給電されるループアンテナとグランド板（反射板）との距離を、０．１０波長〜０．２５波長程度に設定することが好ましい。この距離より狭くなると、イメージアンテナの影響により、受信特性が劣化する可能性がある。
この周波数が１．５７５ＧＨｚの衛星信号の電波を、誘電体を用いずに受信させるためには、ループアンテナとグランド板との間隔を３〜４．８ｃｍとする必要があり、腕時計としては適用できない寸法となる。これに対して、誘電体基材１１１上にアンテナ電極１１２を設置することで、誘電体基材１１１により衛星信号の電波の波長を短縮させ、短縮させた波長をアンテナ電極１１２で受信させることが可能となる。ここで、比誘電率εｒの誘電体基材１１１では、電波の波長短縮率は１／（εｒ）1/2となる。このため、比誘電率εｒの値を大きくすれば、より波長短縮されることとなる。
一方、比誘電率εｒの高い誘電体を用いると周波数帯域幅が狭くなり急峻な特性となり周波数調整が困難となったり、腕に装着した場合に周波数ズレで特性が劣化してしまうおそれがある。
したがって、実際に利用できる誘電体としては、比誘電率εｒが２０以下、好ましくは４〜１０に設定された誘電体基材１１１である。このような誘電体基材１１１としては、例えばアルミナ（εｒ＝８．５）を主成分としたセラミックや、マイカを成分としたセラミックである、いわゆるマイカレックス（εｒ＝６．５〜９．５）、ガラス（εｒ＝５．４〜９．９）、ダイヤモンド（εｒ＝５．６８）などを用いることができる。
このような誘電体基材１１１を用いることで、波長１９ｃｍの衛星信号の電波を、例えば直径約３ｃｍ（周囲長約９．４ｃｍ）（比誘電率εｒが５の場合）のループアンテナ型のアンテナ電極１１２にて受信させることができ、一般的な時計ケース内にＧＰＳアンテナ１１を配置できる。
また、誘電体基材１１１を用いることで、ループアンテナとグランド板との適切な間隔は０．８〜２．０ｃｍ程度となる。一般的な腕時計の厚さ寸法は、０．８〜１．６ｃｍであることから、誘電体基材１１１を用いることで、ループアンテナとグランド板とを適切な間隔に設定しても、十分に腕時計として適用できる。
【００３４】
アンテナ電極１１２は、誘電体基材１１１の表面に、銅や銀などの導電性の金属素子を印刷したり、銀や銅などの導電性の金属板を誘電体基材１１１の表面に貼り付けたりすることで、誘電体基材１１１に線状に一体的に形成される。なお、誘電体基材１１１の表面にパターン形成してもよい。
このアンテナ電極１１２は、アンテナ本体部１１３と、結合部１１４と、給電部１１５と、を備えている。
アンテナ本体部１１３は、誘電体基材１１１の裏蓋１０２に対向する下面とは反対側の上面側にリング状に形成される線状部分であり、カバーガラス１３０側から進入した電波、または裏蓋１０２により反射された電波を受信する。このアンテナ本体部１１３は、周囲長が受信する電波を誘電体基材１１１により波長短縮された波長に対する略１波長（０．９波長〜１．３波長）の長さに形成されている。特に、アンテナ本体部１１３の周囲長は、１．１波長の長さが最適である。具体的には、誘電体基材１１１の比誘電率εｒが２０である場合には、アンテナ本体部１１３の直径は約３ｃｍとなる。
そして、このアンテナ本体部１１３の内周縁の一部には、分岐点１１６が形成され、この分岐点１１６から誘電体基材１１１の内周側面に延出して結合部１１４が形成される。この結合部１１４は、誘電体基材１１１の内周側面に沿って周方向に形成される。そして、結合部１１４の分岐点１１６とは反対側の端部は、誘電体基材１１１の下面側に向かって延出し、誘電体基材１１１の下面側において、結合部１１４に連続する給電部１１５が形成される。この給電部１１５は、図２及び図３に示すように、電子機器１の９時方向で、文字板２の切欠部１２１に対向する位置に形成され、切欠部１２１を挿通する接続ピン６１の先端部が給電部１１５の一点（給電点１１７）に接触する。ここで、分岐点１１６から結合部１１４を通り給電点１１７に至るまでの長さ寸法は、ＧＰＳアンテナ１１で受信する電波の約１／４波長の長さ寸法である。
【００３５】
給電部１１５の給電点１１７に接する接続部材としての接続ピン６１は、電子機器１の９時方向に立設される接続基部６２に出没自在に保持されている。このように、接続ピン６１を９時方向に設けることで、３時方向に設けられる外部操作用のリュウズ６や、２時、４時方向に設けられるボタン７，８等との構造的な干渉を避けることができる。また、接続ピン６１および接続基部６２は、電気的に接続されており、接続基部６２は、回路基板２５の受信部１８に接続される。そして、この接続基部６２は、略円筒状に形成されるとともに、その筒内部に例えばコイルばねなどの付勢部材が設けられており、接続ピン６１を給電部１１５側に付勢している。これにより、接続ピン６１は、給電点１１７に押圧され、例えば電子機器１に衝撃が加わった際でも、接続ピン６１と給電点１１７との接続状態が維持される。
また、接続基部６２は、図４に示すように、リード線２５１により回路基板２５の中央部の接続点２５１Ａに接続され、この接続点２５１Ａにおいて、回路基板２５の裏蓋１０２側に設けられる受信部１８に接続されている。ここで、本実施形態のような１波長ループアンテナのＧＰＳアンテナ１１により効率的な円偏波受信のために、接続点２５１Ａは、回路基板２５の中央部に位置することが好ましい。一方で、接続点２５１Ａを回路基板２５の中央部に設ける場合、配線が長くなるため、信号損失が増大するという問題がある。このような問題を改善するために、ＧＰＳアンテナ１１および受信部１８の間、より具体的には、ＧＰＳアンテナ１１と、１．５ＧＨｚの衛星信号を抜き出す図示しないバンドパスフィルターとの間に、後述するＬＮＡ（ローノイズアンプ）２８（図５参照）を設け、信号損失を補う構成としてもよい。
なお、接続基部６２と受信部１８との接続方法としては、上記に限られず、例えば接続基部６２が回路基板２５上のプリント配線に接続され、プリント配線を介して受信部１８に接続される構成などとしてもよい。
また、本発明のＧＰＳアンテナ１１としては、合成樹脂製のダイヤルリング１４０の上側表面に金属メッキを施してアンテナ電極１１２を形成するなどして、ダイヤルリング１４０に一体化されたＧＰＳアンテナ１１を用いてもよい。この場合も、アンテナ電極１１２が形成されるダイヤルリング１４０の上側表面をベゼル１５０で被覆することで、アンテナ電極１１２が外部に露出せず、外観を向上できる。
【００３６】
本実施形態において、導電性部材製の裏蓋１０２はグランド板を兼ねるものであり、ＧＰＳアンテナ１１のグランド板としての機能を有する。この裏蓋１０２は、外径がＧＰＳアンテナ１１の外径より大きく形成されている。そして、ＧＰＳアンテナ１１は、アンテナ電極１１２が平面的、すなわち電子機器１の厚さ方向で裏蓋１０２に重なる状態となっている。
【００３７】
さらに、裏蓋１０２が金属製なので、グランド板として機能する他に、装着するユーザーの腕によるＧＰＳアンテナ１１への影響を回避できる。
ここで、図６は、ＧＰＳアンテナ１１の放射パターンのシミュレーション結果を示す特性図である。図６に示すように、ＧＰＳアンテナ１１のカバーガラス１３０側となる天頂方向をＺ軸とし、このＺ軸に対する傾きを角度θとする。なお、ＧＰＳアンテナ１１の裏蓋１０２側は、角度θが１８０°である。
この図６に示すように、裏蓋１０２がプラスチックケースだと、グランド板がない状態となり、裏蓋１０２側である腕側からも電波を受信できる状態となる。このため、近傍にある腕の影響を受けて装着時と非装着時でアンテナの共振周波数が変動し、性能差が出て好ましくない。一方、本実施形態では、裏蓋１０２が金属製なので、裏蓋１０２がグランド板（反射板）として機能して、電子機器１の上方向である角度θが０°近傍でのアンテナゲインが向上している。さらに、裏蓋１０２が金属製なので、そのシールド効果により下方側である角度θが１８０°近傍でのアンテナゲインが小さい。このことから、上述した腕の影響を回避でき、本実施形態では装着時と非装着時とのアンテナ特性差が殆どなく、安定した受信性能が得られる。
【００３８】
［電子機器１の回路構成］
次に、電子機器１の回路構成に関して説明する。
図５は、電子機器１の主なハードウエア構成等を示す概略図である。
図５に示すように、電子機器１は、ＧＰＳアンテナ１１、信号増幅手段であるＬＮＡ（ローノイズアンプ）２８、受信部１８、時刻表示装置８０及び電源供給装置９０を含んで構成されている。
【００３９】
ＧＰＳアンテナ１１は、複数のＧＰＳ衛星５ａ，５ｂ，５ｃ，５ｄからの衛星信号を受信するループアンテナである。
このＧＰＳアンテナ１１の出力は、ＬＮＡ２８に接続されている。
【００４０】
ＬＮＡ２８は、ＧＰＳアンテナ１１で受信した衛星信号が入力される。また、ＬＮＡ２８の出力は、受信部１８に接続されている。
【００４１】
受信部１８は、主にＲＦ（Radio Frequency：無線周波数）部５０と、ＧＰＳ信号処理部６０を含んで構成されている。ＲＦ部５０とＧＰＳ信号処理部６０とは、１．５ＧＨｚ帯の衛星信号から航法メッセージに含まれる軌道情報やＧＰＳ時刻情報等の衛星情報を取得する処理を行う。
なお、本実施形態の受信部１８は、例えば８個の衛星信号を同時に捕捉、受信できるように８チャンネルの受信回路を備えている。
【００４２】
ＲＦ部５０は、高周波信号を中間周波数帯の信号に変換するダウンコンバーターや、その中間周波数帯のアナログ信号をデジタル信号に変換するＡ／Ｄコンバーターなどを備えたＧＰＳ受信機における一般的なものである。
【００４３】
ＧＰＳ信号処理部６０は、図示を略すがＤＳＰ（Digital Signal Processor）、ＣＰＵ（Central Processing Unit）、ＳＲＡＭ（Static Random Access Memory）、ＲＴＣ（リアルタイムクロック）等を含んで構成され、ＲＦ部５０から出力されるデジタル信号（中間周波数帯の信号）からベースバンド信号を復調する処理を行う。
【００４４】
また、ＧＰＳ信号処理部６０は、衛星信号検索結果に基づいて前記ＬＮＡ２８の図示しない制御信号入力端子に制御信号を出力してＬＮＡ２８の作動を制御する。
具体的には、捕捉した衛星信号の信号強度が予め設定された閾値未満の場合、ＬＮＡ２８を作動状態に制御する。
一方、捕捉した衛星信号の信号強度が予め設定された閾値以上の場合、ＬＮＡ２８を停止状態に制御する。
さらに、ＧＰＳ信号処理部６０は、受信モードに応じて、受信部１８の動作を制御する。
【００４５】
時刻表示装置８０は、制御部２０と、指針３を備えて構成されている。
制御部２０は、受信部１８を制御する。すなわち、制御部２０は、ボタン７，８が押し続けられて強制受信操作が行われた場合や、予め受信時刻が設定されておりその時刻になった場合に、制御信号を受信部１８に送り、受信部１８の受信動作を制御する。また、制御部２０内の図示しない駆動回路を介して指針３の駆動を制御する。
【００４６】
また、制御部２０には、内部時刻情報が記憶されている。内部時刻情報は、電子機器１の内部で計時される時刻の情報である。内部時刻情報は、発振回路などによって生成される基準クロック信号によって更新される。したがって、受信部１８への電力供給が停止されていても、内部時刻情報を更新して指針３の運針を継続することができるようになっている。
さらに、制御部２０は、測時モードに設定されると、受信部１８の動作を制御してＧＰＳ時刻情報を取得し、そのＧＰＳ時刻情報に基づいて内部時刻情報を修正して記憶する。より具体的には、内部時刻情報は、取得したＧＰＳ時刻情報に１９８０年１月６日以降挿入されたうるう秒の累積（現在は１５秒）を減算することで求められるＵＴＣ（協定世界時）に修正される。さらに、時差データが記憶されている場合には、その時差データも加算して現在地の時刻情報に修正して記憶する。
また、制御部２０は、測位モードに設定されると、受信部１８の動作を制御してＧＰＳ時刻情報と測位データを取得し、そのＧＰＳ時刻情報とうるう秒の累積及び現在地から求められる時差データに基づいて、内部時刻情報を修正して記憶する。なお、測位データと時差データとの対応関係を表すデータは、予め記憶されている。
【００４７】
電源供給装置９０は、二次電池９１、充電制御回路９２および充電器９３を含んで構成されている。
二次電池９１は、ＬＮＡ２８、受信部１８及び時刻表示装置８０等に駆動電力を供給する。
充電器９３は、例えば外装ケース１０１内に回転自在に配置された図示しない回転錘と、この回転錘の回転により発電する発電機とを備えている。なお、充電器９３としては、発電機を備えた内部構成に限らず、例えば電子機器１とは別体構成で、外装ケース１０１内に配置した外部端子にて電力を供給する構成としてもよい。そして、外部端子としては、接触型もしくは非接触型のいずれの構成としてもよい。
充電制御回路９２は、充電器９３から供給される電力を二次電池に供給して充電させる。
【００４８】
［受信処理］
次に、受信処理について説明する。
ＧＰＳアンテナ１１で複数のＧＰＳ衛星５ａ，５ｂ，５ｃ，５ｄからの衛星信号を受信し、ＬＮＡ２８へ受信した衛星信号を出力する。
ＬＮＡ２８は、ＧＰＳ信号処理部６０からの制御信号に基づいて、受信した衛星信号を適宜増幅して受信部１８へ出力する。具体的には、ＬＮＡ２８では、ＧＰＳ信号処理部６０から、オン信号（例えばハイレベル信号）が入力されると衛星信号をオペアンプなどで増幅して受信部１８へ出力し、オフ信号（例えばローレベル信号）が入力されると、入力された衛星信号は増幅されずに受信部１８へ出力する。
【００４９】
受信部１８のＲＦ部５０は、ＬＮＡ２８から出力された高周波の衛星信号を中間周波数帯の信号に変換するとともに、アナログ信号をデジタル信号に変換する。
受信部１８のＧＰＳ信号処理部６０は、各Ｃ／Ａコードと同一のパターンのローカルコードを発生し、ベースバンド信号に含まれる各Ｃ／Ａコードとローカルコードの相関をとる処理を行う。そして、ＧＰＳ信号処理部６０は、各ローカルコードに対する相関値がピークになるようにローカルコードの発生タイミングを調整し、相関値が閾値以上となる場合にはそのローカルコードのＧＰＳ衛星５ａ，５ｂ，５ｃ，５ｄに同期（すなわち、ＧＰＳ衛星５ａ，５ｂ，５ｃ，５ｄを捕捉）したものと判断する。
ここで、ＧＰＳシステムでは、すべてのＧＰＳ衛星５ａ，５ｂ，５ｃ，５ｄが異なるＣ／Ａコードを用いて同一周波数の衛星信号を送信するＣＤＭＡ（Code Division Multiple Access）方式を採用している。従って、受信した衛星信号に含まれるＣ／Ａコードを判別することで、捕捉可能なＧＰＳ衛星５ａ，５ｂ，５ｃ，５ｄを検索することができる。
また、ＧＰＳ信号処理部６０は、捕捉したＧＰＳ衛星５ａ，５ｂ，５ｃ，５ｄのＣ／Ａコードと同一のパターンのローカルコードとベースバンド信号をミキシングして航法メッセージを復調し、航法メッセージに含まれる軌道情報やＧＰＳ時刻情報等の衛星情報を取得する。
そして、ＧＰＳ信号処理部６０は、取得した時刻データ、測位データを時刻表示装置８０の制御部２０に出力する。
そして、時刻表示装置８０の制御部２０は、ＧＰＳ信号処理部６０からの時刻データ、測位データに基づいて、内部時刻情報を修正して記憶し、適宜指針３を運針して表示時刻を修正する。
【００５０】
［第１実施形態の作用効果］
上述したように、上記第１実施形態の電子機器１によれば、以下の効果がある。
（１）本実施形態では、裏蓋１０２として無線電波を反射させる導電性部材にて形成し、文字板２の周囲に沿って、ＧＰＳアンテナ１１の線状のアンテナ電極１１２を配置している。
このことにより、ＧＰＳアンテナ１１と裏蓋１０２とを、良好な受信性能が得られる距離に離間する状態が得られ、ＧＰＳアンテナ１１での受信性能を向上できる。
さらに、裏蓋１０２が反射板として機能し、かつ腕時計として利用してもアンテナ同調周波数の変化を防止でき、ＧＰＳアンテナ１１の特性を向上でき、良好な受信特性が得られる。
特に、電子機器１の厚さ寸法の方向において、文字板２よりカバーガラス１３０側の上方であり、文字板２より裏蓋１０２から遠くなる位置に配置されるダイヤルリング１４０およびベゼル１５０間にＧＰＳアンテナ１１を配置している。
このため、腕時計として利用しても、電子機器１の厚みを厚くすることなく、ＧＰＳアンテナ１１と裏蓋１０２とを適切に離間させることができ、良好な受信性能が得られる。
【００５１】
（２）ＧＰＳアンテナ１１の外形寸法より導電性部材の裏蓋１０２を大きく形成している。
このため、裏蓋１０２の無線電波の反射効率が向上し、受信性能を向上できる。
特に、裏蓋１０２は、文字板２に比べて外形寸法を大きく設計できるため、無線電波の反射効率の向上が容易で、ＧＰＳアンテナ１１の特性を容易に向上できる。
【００５２】
（３）非導電性部材にて環状に形成されたダイヤルリング１４０とベゼル１５０との間にＧＰＳアンテナ１１を配置し、ＧＰＳアンテナ１１をダイヤルリング１４０およびベゼル１５０で覆っている。
このため、無線電波が遮断されることがなく、良好な受信性能が得られる。
さらに、ＧＰＳアンテナ１１が外部に露出することがなく、外観が損なわれることも防止できる。また、文字板２の周囲に配置されるダイヤルリング１４０とベゼル１５０との間にＧＰＳアンテナ１１を配置していることから、文字板２の表示視認を妨げることを防止できる。
【００５３】
（４）ＧＰＳアンテナ１１として、誘電体基材１１１に設けるループアンテナのアンテナ電極１１２の周囲長を、誘電体基材１１１により波長短縮された無線電波の波長に対して略１波長としているので、アンテナ性能を最適にできる。
【００５４】
（５）非導電性部材にて形成させる情報表示部として文字板２を用いている。
例えば、導電性の文字板２を用いた場合では、文字板２がグランド板として機能し、ＧＰＳアンテナ１１とグラウンド板となる文字板２とが隣接する状態となり、受信特性の劣化を生じるおそれがある。
本実施形態では、文字板２を非導電性部材にて構成しているので、文字板２はグラウンド板として機能することはなく、適性に離間する金属製の裏蓋１０２をグランド板として機能させることができ、無線電波を良好に受信できる。
【００５５】
（６）ＧＰＳアンテナ１１のアンテナ電極１１２は、リング状の誘電体基材１１１の上面に配置されるリング状のアンテナ本体部１１３と、アンテナ本体部１１３の内周縁の一点である分岐点から誘電体基材１１１の周面に沿う結合部１１４と、結合部１１４の分岐点１１６とは反対側の他端に連続し、誘電体基材１１１の下面側に形成される給電部１１５とにより形成される。そして、文字板２は、この給電部１１５に対向する位置に切欠部１２１が設けられ、この切欠部１２１を挿通して、モジュール１１０側から給電点１１７に向かって付勢される接続ピン６１が設けられている。
このため、給電部１１５と文字板２との接触、接続ピン６１と文字板２との接触を防止することができ、かつ接続ピン６１によりアンテナ電極１１２と回路基板２５の受信部１８とを確実に電気的に接続することができる。また、接続ピン６１が給電点１１７側に付勢されているため、例えば時計に衝撃が加わった場合でも接続ピン６１と給電点１１７との接続が良好に維持することができる。
【００５６】
［第２実施形態］
次に、本発明の第２実施形態を図面に基づいて説明する。
この第２実施形態は、第１実施形態における文字板２を用いて時刻表示する構成に代え、液晶表示により時刻表示するものである。
図７は、本発明の第２実施形態に係る電子機器１の概略断面図である。なお、以下の実施形態における図の説明にあたって、上記第１実施形態と同一構成要素については、同一符号を付し、その説明を省略する。
【００５７】
第２実施形態での本体ケース１０は、非導電性部材製の円筒状の外装ケース１０１と、この外装ケース１０１の一方の開口（図７下側）を閉塞する導電性部材製の裏蓋１０２とを備えている。
外装ケース１０１には、板状の時刻表示用の情報表示部としての表示パネルである液晶パネル１７を備え、液晶パネル１７を制御するモジュール１１０が収容されている。なお、外装ケース１０１は、第１実施形態のダイヤルリング１４０およびベゼル１５０を備えていない。
モジュール１１０は、液晶パネル１７の表示面１７Ａをカバーガラス１３０に向けて保持する液晶保持部１１０Ａと、液晶パネル１７と電気的に接続させる接続コネクター１１０Ｂとを備えている。
ここで、液晶パネル１７は、微視的に透明電極などの導電性部材を有しているが、全体からの比率としては極めて少ないので、無線電波を遮断してしまう不都合はなく、実質的に非導電性部材として扱える。
そして、ＧＰＳアンテナ１１は、モジュール１１０の外周に沿って液晶保持部１１０Ａの外側に配設されている。すなわち、液晶パネル１７の外周側に配置されている。
【００５８】
この図７に示す第２実施形態によれば、情報表示する構成として液晶パネル１７を用いる点で、文字板２を用いる第１実施形態と異なるものの、前記第１実施形態の効果（１）〜（４），（６）を奏する他、以下の効果を奏する。
【００５９】
（７）非導電性部材にて形成させる情報表示部として液晶パネル１７を用いている。
このため、液晶パネル１７にて無線電波が遮断されずにグランド板として機能する裏蓋１０２で反射させることができ、無線電波の反射効率を向上させ、ＧＰＳアンテナ１１で無線電波を良好に受信できる。
【００６０】
（８）液晶パネル１７の外周側に位置してＧＰＳアンテナ１１を配置している。
このため、電子機器１の厚さ寸法が厚くなることを防止できるとともに、ＧＰＳアンテナ１１の径寸法を大きく設定できることから、受信性能を向上できる。
【００６１】
［第３実施形態］
次に、本発明の第３実施形態を図面に基づいて説明する。
この第３実施形態は、第１実施形態の非導電性部材製の外装ケース１０１に代えて、導電性部材製のカバー体１０１Ａを用いたものである。
図８は、本発明の第３実施形態に係る電子機器１の概略分解斜視図である。
【００６２】
第３実施形態での本体ケース１０は、一部が非導電性部材製の外装ケース１０１を備えている。この外装ケース１０１は、導電性部材製（ステンレスなどの金属製）のカバー体１０１Ａと、このカバー体１０１Ａの内周側に配置された非導電性部材製のケース体（胴）１０１Ｂと、を備えている。ケース体１０１Ｂの表面は、金属調の塗装を施すことで、金属製のカバー体１０１Ａと質感を合わせている。
【００６３】
外装ケース１０１の一方の開口、具体的にはケース体１０１Ｂの軸方向の一端側（図８下側）には、導電性部材製の裏蓋１０２が設けられている。外装ケース１０１の表面側となる他方の開口、具体的にはカバー体１０１Ａの開口（図８上側）には、カバーガラス１３０及びＧＰＳアンテナ１１を内蔵するベゼル部１５が配置されている。このベゼル部１５は、例えば第１実施形態におけるダイヤルリング１４０およびベゼル１５０にて構成されている。
なお、ベゼル部１５は、ケース体１０１Ｂの軸方向の一端側（図８上側）に載置される状態に配置されている。すなわち、第１実施形態ではモジュール１１０の外周縁にＧＰＳアンテナ１１の外周縁が略一致する構成としているが、第３実施形態ではＧＰＳアンテナ１１の外径をモジュール１１０の外径より大きく形成している。
【００６４】
また、カバー体１０１Ａには、外部操作用のボタン７，８に対応して、ボタン用切欠部１０８が設けられている。さらに、カバー体１０１Ａには、バンド１０６を取り付けるかん１０７の間のかんまた１０７Ａの裏蓋１０２側縁が切り欠かれた切欠部１０９が設けられている。そして、カバー体１０１Ａと裏蓋１０２とは、非接触状態であり、導通していないので、カバー体１０１Ａがグランド板（反射板）として機能することはない。
【００６５】
この図８に示す第３実施形態によれば、導電性部材製のカバー体１０１Ａおよび非導電性部材製のケース体１０１Ｂを備えた外装ケース１０１を用いる点で、上述した第１実施形態の非導電性部材の外装ケース１０１を用いる点と異なるものの、第１実施形態の効果（１）〜（６）を奏する他、以下の効果を奏する。
【００６６】
（９）外装ケース１０１として、金属製のカバー体１０１Ａを備えているので、外装ケース１０１の外観の質感を向上できる。
さらに、カバー体１０１Ａに、ボタン用切欠部１０８および切欠部１０９を設けている。このため、金属製のカバー体１０１Ａが設けられていても、ボタン用切欠部１０８および切欠部１０９を介して無線電波を受信できるので、無線電波の受信性能の低下を最小限に抑えることができる。
【００６７】
［実施形態の変形例］
なお、本発明は前述の実施形態に限定されるものではなく、本発明の目的を達成できる範囲での変形、改良等は本発明に含まれるものである。
【００６８】
前記実施形態では、ＧＰＳアンテナ１１として、アンテナ本体部１１３の分岐点１１６から誘電体基材１１１の内周面に沿って結合部１１４が形成される例を示したが、これに限定されない。
例えば、図９に示すＧＰＳアンテナ１１のように、アンテナ本体部１１３の外周側に分岐点１１６が設けられ、この分岐点１１６から誘電体基材１１１の外周側面に延出し、外周側面の周方向に沿って結合部１１４が形成される構成などとしてもよい。
【００６９】
さらに、上記各実施形態において、円筒状のＧＰＳアンテナ１１を用いて説明したが、円筒形状に限られるものではない。
例えば、デジタル表示式の時計などにおいて、平面略方形状の外形形状を有する時計の場合には、図１０に示すような、時計形状に合わせて正方形や長方形などの方形状のＧＰＳアンテナ１１を用いることもできる。
このような方形状のＧＰＳアンテナ１１では、平面方形状の時計にリング状のＧＰＳアンテナ１１を組み込む場合に比べて、アンテナ電極１１２の周囲長をより長く形成することができるため、よりアンテナ特性を良好にすることができる。また、平面方形状の時計では、方形状のＧＰＳアンテナ１１を用いることで、その内部空間を有効に活用でき、例えばデジタル表示用のディスプレイを大きく形成することができる。
【００７０】
また、ＧＰＳアンテナ１１として、リング状のアンテナ本体部１１３を有する、いわゆるループアンテナを例示したが、これに限定されず、例えば図１１に示すように、アンテナ本体部１１３はＣ字状形状に形成されるなどしてもよい。
この図１１に示すＧＰＳアンテナ１１Ａの場合でも、Ｃ字状のアンテナ本体部１１３Ａの一端部から、１／４波長となる位置に結合部１１４に接続される分岐点１１６を形成することで、円偏波の電波が受信可能となる。
【００７１】
また、上記各実施形態において、単一の給電部１１５が形成されるＧＰＳアンテナ１１を例示したが、複数の給電部１１５が形成されるＧＰＳアンテナ１１としてもよい。複数の給電部１１５を有するＧＰＳアンテナ１１として、いわゆる直交２点給電、つまり２箇所の給電部１１５を位相差が９０度となる位置にそれぞれ配置するとよい。このようなＧＰＳアンテナ１１では、２つの給電部１１５に対して接続ピン６１も２つ設けられ、これらの２つの接続ピン６１から衛星信号が回路基板２５に伝達される。また、回路基板２５は、これら２つの経路の位相調整を実施して、受信部１８に信号を伝達することで、円偏波の受信処理を実施する。
さらに、誘電体基材１１１の側面に結合部１１４を設ける構成に限らず、例えば誘電体基材１１１に軸方向に沿って貫通する穴を通してアンテナ本体部１１３と給電部１１５とを接続する構成としてもよい。
【００７２】
また、給電部１１５に接触する接続部材として、接続ピン６１を例示したが、このようなピン部材に限定されない。例えば、接続部材として、板ばね状に形成される接続板を用いてもよく、このような構成でも、板ばねの付勢力により接続板が給電点１１７に所定の接触圧で接続させることができる。
【００７３】
また、上述の第１ないし第３実施形態は、位置情報衛星の例としてＧＰＳ衛星５ａ，５ｂ，５ｃ，５ｄについて説明したが、本発明の位置情報衛星としては、ＧＰＳ衛星５ａ，５ｂ，５ｃ，５ｄだけではなく、ガリレオ（ＥＵ）、ＧＬＯＮＡＳＳ（ロシア）、北斗（中国）などの他の全地球的航法衛星システム（ＧＮＳＳ）や、ＳＢＡＳなどの静止衛星や準天頂衛星などの時刻情報を含む衛星信号を発信する位置情報衛星でもよい。
そして、本発明の腕装着型電子機器では、このような位置情報衛星から衛星信号を電波受信する構成に限られるものではなく、例えば９００ＭＨｚ帯を用いる円偏波の無線タグの近距離無線受信装置（９００ＭＨｚ帯のＲＦ-ＩＤ機能）として適用することもできる。
さらには、本発明の腕装着型電子機器は、円偏波を受信する構成に限らず、直線偏波の電波を受信するものとしても用いることができる。
その他、無線電波としては、２．４ＧＨｚ帯の無線通信を行うBluetooth（登録商標）、無線ＬＡＮなども対象とすることができる。
【００７４】
また、本発明の腕装着型電子機器としては、腕時計に限らず、無線電波を受信または送信あるいは送受信する腕装着型の各種電子機器を対象とすることができる。
例えば、無線通信回線を利用する腕装着型の携帯電話機、現在位置から目的地まで案内誘導するナビゲーション装置、ランニング用や登山用など、移動距離や移動時間、通過場所や通過時間などを記録、表示する情報装置、通行証や入場証などのＩＣカード機能およびＩＣカード機能における利用状況の履歴等の情報を表示させる機能を備えた各種携帯情報端末などが例示できる。
【００７５】
前述した第１および第３実施形態では、ＧＰＳアンテナ１１を覆うリング部材としてダイヤルリング１４０を設けたが、これに限らず、リング部材は目盛のない部材であってもよく、内側面が傾斜面ではなく文字板２に対して垂直な面あるいは他の形状であるとしてもよい。また、リング部材は本発明に必須ではなく、例えばベゼル１５０の内周が内側に張り出してＧＰＳアンテナ１１を覆い隠せるようであれば、別体のリング部材は省略することができる。
さらに、ＧＰＳアンテナ１１を文字板２や液晶パネル１７等の表示パネルの下面側（裏蓋１０２側）に配置し、ＧＰＳアンテナ１１を情報表示部で被覆してもよい。すなわち、本発明では、ＧＰＳアンテナ１１のアンテナ電極１１２は、文字板２や表示パネル等の情報表示部の周囲に沿って配置されていればよい。従って、第１実施形態のように、情報表示部の上面側にアンテナ電極１１２が配置されていてもよいし、第２実施形態のように、情報表示部の外側にアンテナ電極１１２が配置されていてもよいし、情報表示部の下面側にアンテナ電極１１２が配置されていてもよい。
【符号の説明】
【００７６】
１…電子機器（腕装着型電子機器）、２…文字板（情報表示部）、１１…ＧＰＳアンテナ（アンテナとしてのループアンテナ）、１１Ａ…ＧＰＳアンテナ（アンテナ）、１７…液晶パネル（情報表示部としての表示パネル）、１８…受信部、６１…接続ピン（接続部材）１０１…外装ケース（ケース）、１０２…裏蓋、１１２…アンテナ電極、１１３…アンテナ本体部、１１５…給電部、１１６…分岐点、１４０…ダイヤルリング、１５０…ベゼル
【図１】
2011097431.tif 000003
【図２】
2011097431.tif 000004
【図３】
2011097431.tif 000005
【図４】
2011097431.tif 000006
【図５】
2011097431.tif 000007
【図６】
2011097431.tif 000008
【図７】
2011097431.tif 000009
【図８】
2011097431.tif 000010
【図９】
2011097431.tif 000011
【図１０】
2011097431.tif 000012
【図１１】
2011097431.tif 000013